(57)【要約】【課題】ブックカバーなどの折線加工がされた用紙を印刷すること。【解決手段】折線加工された用紙１００を印刷する際に、用紙１００の折線加工に関する情報を取得する取得工程（ステップＳ４０１）と、用紙１００に対して、印刷を開始するとともに、取得工程によって取得された情報に基づいて、所定の折線加工された位置（以下「第１の位置」という）で印刷を停止する第１の印刷工程（ステップＳ４０２〜Ｓ４０４）と、用紙１００を排紙する第１の排紙工程（ステップＳ４０５）と、反転セットされた用紙１００に対して、印刷を開始するとともに、取得工程によって取得された情報に基づいて、所定の折線加工された位置（以下「第２の位置」という）で印刷を停止する第２の印刷工程（ステップＳ４０９〜Ｓ４１１）と、用紙１００を排紙する第２の排紙工程（ステップＳ４１２）と、を含む。【選択図】        図４
2006224490.tif 000002
【特許請求の範囲】
【請求項１】
折線加工された用紙を印刷する際に、
前記用紙の折線加工に関する情報を取得する取得工程と、
前記用紙に対して、印刷を開始するとともに、前記取得工程によって取得された情報に
基づいて、所定の折線加工された位置（以下「第１の位置」という）で前記印刷を停止す
る第１の印刷工程と、
前記用紙を排紙する第１の排紙工程と、
反転セットされた前記用紙に対して、印刷を開始するとともに、前記取得工程によって
取得された情報に基づいて、所定の折線加工された位置（以下「第２の位置」という）で
前記印刷を停止する第２の印刷工程と、
前記用紙を排紙する第２の排紙工程と、
を含んだことを特徴とする印刷方法。
【請求項２】
前記第２の印刷工程では、前記第１の印刷工程において印刷されていない残りのデータ
を、反転処理（１８０°回転処理）して印刷することを特徴とする請求項１に記載の印刷
方法。
【請求項３】
前記第２の印刷工程によって印刷が開始される前に、前記用紙の反転セットを告知する
告知工程を含んだことを特徴とする請求項１または２に記載の印刷方法。
【請求項４】
前記折線加工された用紙は、左カバー見返し、左表紙、背表紙、右表紙および右カバー
見返しからなる印刷物のカバーであり、
前記第１の位置は、前記用紙の前記左（または右）表紙と背表紙との境界であるととも
に、前記第２の位置は、前記用紙の前記右（または左）表紙と背表紙との境界であること
を特徴とする請求項１〜３のいずれか一つに記載の印刷方法。
【請求項５】
前記第１の位置と前記第２の位置とが同一位置であることを特徴とする請求項１〜３の
いずれか一つに記載の印刷方法。
【請求項６】
前記折線加工された用紙は、左カバー見返し、左表紙、背表紙、右表紙および右カバー
見返しからなる印刷物のカバーであり、
前記第１の位置は、前記用紙の前記左（または右）表紙と背表紙との境界であることを
特徴とする請求項５に記載の印刷方法。
【請求項７】
請求項１〜６のいずれか一つに記載の印刷方法をコンピュータに実行させることを特徴
とする印刷プログラム。
【発明の詳細な説明】
【技術分野】
【０００１】
本発明は、印刷物のカバーなどの折線加工された用紙を印刷する印刷方法および印刷プ
ログラムに関する。
【背景技術】
【０００２】
近年、印刷の多様化や印刷画質の向上などによって、オリジナルのブックカバーを製作
したいとの要望がある。通常、ブックカバーは、本などの印刷物を覆うため、強い耐久性
が要求され、そのため、その紙質は厚めでかつ折り曲げに対する反発力が強い、いわゆる
こしのあるものが好ましい。したがって、ブックカバー用の用紙は、印刷物の大きさや形
状に合わせてあらかじめ折曲加工を施すことで、簡易にかつ見た目にも美しく印刷物に装
着することができる。
【０００３】
従来、プリンタは、副走査方向へ紙送りをしながら主走査方向にヘッドを移動させて印
刷するため、紙送り機構を備えているのが一般的である。紙送り機構は通常、複数のロー
ラなどの回転によって紙を副走査方向へ送り出すため、印刷の対象となる用紙は平らでか
つ折り目などがないものが望ましい。したがって、ブックカバーなどのあらかじめ折線加
工された用紙に印刷することは想定していなかった。
【発明の開示】
【発明が解決しようとする課題】
【０００４】
しかしながら、上記のようなオリジナルのブックカバーを上記従来のプリンタで印刷す
る際に、通常の規定用紙に比べて、副走査方向に対する印刷領域が長くなりすぎるため、
単票紙よりもローラ圧による押さえが不足し、スキューが発生しやすくなるという問題点
があった。また、ロール紙のようにテンションがかかりづらいと考えられる。
【０００５】
この発明は、上記問題点を解決するためになされたものであり、折線加工がされた用紙
を印刷する印刷方法および印刷プログラムを提供することを目的とする。
【課題を解決するための手段】
【０００６】
上記の課題を解決するために、この発明にかかる印刷方法は、折線加工された用紙を印
刷する際に、前記用紙の折線加工に関する情報を取得する取得工程と、前記用紙に対して
、印刷を開始するとともに、前記取得工程によって取得された情報に基づいて、所定の折
線加工された位置（以下「第１の位置」という）で前記印刷を停止する第１の印刷工程と
、前記用紙を排紙する第１の排紙工程と、反転セットされた前記用紙に対して、印刷を開
始するとともに、前記取得工程によって取得された情報に基づいて、所定の折線加工され
た位置（以下「第２の位置」という）で前記印刷を停止する第２の印刷工程と、前記用紙
を排紙する第２の排紙工程と、を含んだことを特徴とする。この発明によれば、長手方向
に長い用紙であってもプリンタによって印刷することができる。
【０００７】
また、この発明にかかる印刷方法は、上記発明において、前記第２の印刷工程で、前記
第１の印刷工程において印刷されていない残りのデータを、反転処理（１８０°回転処理
）して印刷することを特徴とする。
【０００８】
また、この発明にかかる印刷方法は、上記発明において、前記第２の印刷工程によって
印刷が開始される前に、前記用紙の反転セットを告知する告知工程を含んだことを特徴と
する。この発明によれば、用紙の反転セットをユーザに促すことができる。
【０００９】
また、この発明にかかる印刷方法は、上記発明において、前記折線加工された用紙が、
左カバー見返し、左表紙、背表紙、右表紙および右カバー見返しからなる印刷物のカバー
であり、前記第１の位置が、前記用紙の前記左（または右）表紙と背表紙との境界である
とともに、前記第２の位置が、前記用紙の前記右（または左）表紙と背表紙との境界であ
ることを特徴とする。この発明によれば、一般のプリンタを用いて、印刷物のカバーの印
刷をおこなうことができる。
【００１０】
また、この発明にかかる印刷方法は、上記発明において、前記第１の位置と前記第２の
位置とが同一位置であることを特徴とする。その際、前記折線加工された用紙が、左カバ
ー見返し、左表紙、背表紙、右表紙および右カバー見返しからなる印刷物のカバーであり
、前記第１の位置が、前記用紙の前記左（または右）表紙と背表紙との境界であることを
特徴とする。この発明によれば、印刷物のカバーに隙間なく印刷することができる。
【００１１】
また、この発明にかかる印刷プログラムは、上記に記載の印刷方法をコンピュータに実
行させることを特徴とする。
【発明を実施するための最良の形態】
【００１２】
以下に添付図面を参照して、この発明にかかる印刷方法および印刷プログラムの好適な
実施の形態を詳細に説明する。
【００１３】
（折線加工された用紙の内容）
図１および図２は、この発明の実施の形態にかかる折線加工された用紙の内容を示す説
明図である。図１において、折線加工された用紙（以下単に「用紙」という）１００は、
左カバー見返し１０１、左表紙１０２、背表紙１０３、右表紙１０４および右カバー見返
し１０５からなる。そして、左カバー見返し１０１と左表紙１０２との境界Ａ、左表紙１
０２と背表紙１０３の境界Ｂ、背表紙１０３と右表紙１０４の境界Ｃ、右表紙１０４と右
カバー見返し１０５との境界Ｄには、あらかじめ折線加工が施されている。
【００１４】
図１は、上記境界Ａ〜Ｄを平らに伸ばした状態を示しており、一方図２は、上記境界Ａ
〜Ｄを折線加工に基づき、用紙１００が折れ曲がった状態を示している。上記境界Ａ〜Ｄ
に折線加工を施すのは、以下の理由である。すなわち、ブックカバーなどは厚めの紙を用
いることが一般的であり、あらかじめ折線加工が施されている方が、容易かつ見た目にも
美しく本体（本などの印刷物）に装着することができるからである。
【００１５】
（ハードウエア構成）
図３は、この発明の実施の形態にかかる印刷方法を実現するハードウエア構成の一例を
示す説明図である。図３において、３００はパーソナルコンピュータなどの情報処理装置
であり、３５０は、情報処理装置３００に接続されるプリンタである。
【００１６】
情報処理装置３００は、ＣＰＵ３０１と、ＲＯＭ３０２と、ＲＡＭ３０３と、メモリ３
０４と、インタフェース（Ｉ／Ｆ）３０５と、ディスプレイ３０６と、を含む構成となっ
ている。これらの構成部３０１〜３０６は、それぞれバス３１０によって接続される。プ
リンタ３５０も、たとえばＵＳＢなどによってバス３１０を介して上記構成部３０１〜３
０６と接続される。
【００１７】
ここで、ＣＰＵ３０１は、ＲＯＭ３０２、ＲＡＭ３０３、メモリ３０４などに記憶され
たプログラムを実行することによって、プリンタ３５０の印刷制御をするとともに、警告
情報の出力（表示）制御等を含む情報処理装置３００全体を制御する。ＲＯＭ３０２は、
情報処理装置３００の基本処理プログラムを記憶している。ＲＡＭ３０３は、ＣＰＵ３０
１のワークエリアとして使用される。メモリ３０４は、各種情報を記憶する。具体的には
、たとえば、ハードディスク（ＨＤ）であり、そのかわりにあるいはＨＤに加えて、ＤＶ
Ｄ、コンパクトディスク（ＣＤ）などの着脱可能な記録媒体であってもよい。
【００１８】
また、Ｉ／Ｆ３０５は、ネットワークを介して他の情報処理装置とのデータの送受信を
司る。また、ネットワークを介して他のプリンタに接続されるようになっていてもよい。
ディスプレイ３０６は、文字、画像などを表示する。また、ディスプレイ３０６は、具体
的には、たとえばＣＲＴ、液晶ディスプレイ、プラズマディスプレイなどである。
【００１９】
また、プリンタ３５０は、インクジェットプリンタ、レーザービームプリンタ、インパ
クトプリンタなどの各種プリンタを含む。また、プリンタ３５０は、たとえばＵＳＢ（Ｕ
ｎｉｖｅｒｓａｌ  Ｓｅｒｉａｌ  Ｂｕｓ）などのインタフェースの規格を用いて情報処
理装置３００と接続することができる。
【００２０】
（処理の手順）
図４は、この発明の実施の形態にかかる印刷方法の処理の手順を示すフローチャートで
ある。図４のフローチャートにおいて、まず、セットされた用紙１００の用紙情報を取得
する（ステップＳ４０１）。ここで、用紙情報には、折線加工がなされたそれぞれの位置
（用紙端からの距離）、具体的には、図１に示した境界Ａ〜Ｄの位置に関する情報を含む
。用紙情報は、たとえばユーザからの用紙種類などの情報の入力によって取得することが
できる。
【００２１】
その後、印刷を開始する（ステップＳ４０２）。用紙１００の長手方向に印刷を進めて
ゆき、境界Ａ、Ｂを通過し、境界Ｃに達したか否かを判断する（ステップＳ４０３）。境
界Ｃに達したか否かは、ステップＳ４０１において取得した用紙情報のうちの境界Ｃの位
置に関する情報（用紙端（左カバー見返し１０１の端部）から境界Ｃまでの距離に関する
情報）に基づいて判断する。
【００２２】
ここで、境界Ｃに達するのを待って、境界Ｃに達した場合（ステップＳ４０３：Ｙｅｓ
）は、印刷を停止する（ステップＳ４０４）。その後、図示を省略する紙送り機構を用い
て用紙１００を排紙する（ステップＳ４０５）。
【００２３】
図５は、用紙に対する印刷の一例を示す説明図である。図５において、左カバー見返し
１０１、左表紙１０２および背表紙１０３の領域には印刷がなされており、右表紙１０４
および右カバー見返し１０５の領域は印刷がなされていないのがわかる。この状態で、用
紙１００は、一端、プリンタ３５０から排紙される。
【００２４】
図４に戻って、ステップＳ４０６において、反転セット指示を表示する（ステップＳ４
０６）。反転セットとは、用紙１００の平面を１８０°回転させて、先ほど（第１回目）
の印刷を開始した用紙端とは反対の用紙端から印刷させるようにプリンタ３５０にセット
することである。その際、印刷面は先ほど（第１回目）の印刷と同じ面に印刷されるよう
にする。
【００２５】
図６は、反転セット指示の表示の一例を示す説明図である。図６において、メッセージ
ダイアログ６００には、たとえば『用紙を反転させて、再セットしてください。』という
内容の警告文を表示するとともに、『確認』ボタン６０１をあわせて表示することができ
る。
【００２６】
反転セット指示文は一例であって、用紙１００を反転して再セットさせる旨の内容であ
れば、いかなるもの（たとえば、イラストやアニメーションを用いたもの）であってもよ
い。また、反転セット指示の表示にかえて、あるいは反転セット指示文の表示とともに、
所定の警告音や音声メッセージを出力するようにしてもよい。
【００２７】
図４に戻って、ステップＳ４０７において、『確認』ボタン６０１が押下されたか否か
を判断する（ステップＳ４０７）。そして『確認』ボタン６０１が押下されるのを待って
、押下された場合（ステップＳ４０７：Ｙｅｓ）は、つぎに、用紙１００が正しくセット
されているか否かを判断する（ステップＳ４０８）。ここで、用紙１００が正しくセット
されていない場合（ステップＳ４０８：Ｎｏ）は、ステップＳ４０６へ戻り、再び、反転
セット指示を表示する。この際、表示の内容をステップ４０６の内容とは異なるものとし
てもよい。異なる例としては、たとえば、『用紙が確実にセットされたかを確認してくだ
さい。』などがあげられる。
【００２８】
ステップＳ４０８において、用紙１００が正しくセットされている場合（ステップＳ４
０８：Ｙｅｓ）は、印刷を再開する（ステップＳ４０９）。この際、印刷するデータにつ
いても、反転処理（１８０°回転処理）をした上で印刷をおこなう。そして、用紙１００
の長手方向に印刷を進めてゆき、境界Ｄを通過し、境界Ｃに達したか否かを判断する（ス
テップＳ４１０）。境界Ｃに達したか否かは、ステップＳ４０１において取得した用紙情
報のうちの境界Ｃの位置に関する情報（用紙端（右カバー見返し１０５の端部）から境界
Ｃまでの距離に関する情報）に基づいて判断する。
【００２９】
ここで、境界Ｃに達するのを待って、境界Ｃに達した場合（ステップＳ４１０：Ｙｅｓ
）は、印刷を停止する（ステップＳ４１１）。その後、図示を省略する紙送り機構を用い
て用紙１００を排紙し（ステップＳ４１２）、一連の処理を終了する。
【００３０】
図７は、用紙に対する印刷の別の一例を示す説明図である。図７において、用紙１００
のすべての領域（左カバー見返し１０１、左表紙１０２、背表紙１０３、右表紙１０４お
よび右カバー見返し１０５の各領域）にわたって印刷がなされている。また、右表紙１０
４および右カバー見返し１０５の領域は２回目の印刷によって反対側から印刷されたもの
であるが、印刷するデータを反転処理して印刷したため、左カバー見返し１０１、左表紙
１０２、背表紙１０３と上下が同じになり、あたかも一度に印刷したかのようにみえるよ
うにすることができる。
【００３１】
なお、境界Ｃにおいて印刷を分けたが、境界Ｃのかわりに境界Ｂであってもよい。すな
わち、１回目の印刷で左カバー見返し１０１および左表示１０２を印刷し、２回目の印刷
で右カバー見返し１０５、右表紙１０４、背表紙１０３を印刷するようにしてもよい。ま
た、印刷を分けた部分が重なったり、印刷されていない間隔が生じてしまうことによって
、美観をそこなうことを防止するために、１回目の印刷で左カバー見返し１０１および左
表示１０２を印刷し、２回目の印刷で右カバー見返し１０５および右表紙１０４を印刷す
ることで、背表紙１０３を印刷しないようにしてもよい。
【００３２】
そうすることで、印刷が重なったり、印刷されていない間隔が生じてしまうことを防止
することができる。さらに、背表紙１０３において、背景のみを印刷しないようにしても
よい。したがって、文字などのみを印刷する。
【００３３】
図８は、用紙に対する印刷の別の一例を示す説明図であり、背表紙１０３において、背
景を印刷せず、文字（『ＢＯＯＫ』）のみを印刷した状態を示している。このようにする
ことで、印刷が重なったり、印刷されていない間隔が生じてしまうことを防止することが
できる。
【００３４】
以上説明したように、この発明の本実施の形態によれば、折線加工された用紙１００を
印刷する際に、用紙１００の折線加工に関する情報を取得する取得工程（ステップＳ４０
１）と、用紙１００に対して、印刷を開始するとともに、取得工程によって取得された情
報に基づいて、所定の折線加工された位置（以下「第１の位置」という）で印刷を停止す
る第１の印刷工程（ステップＳ４０２〜Ｓ４０４）と、用紙１００を排紙する第１の排紙
工程（ステップＳ４０５）と、反転セットされた用紙１００に対して、印刷を開始すると
ともに、取得工程によって取得された情報に基づいて、所定の折線加工された位置（以下
「第２の位置」という）で印刷を停止する第２の印刷工程（ステップＳ４０９〜Ｓ４１１
）と、用紙１００を排紙する第２の排紙工程（ステップＳ４１２）と、を含むので、長手
方向に長い用紙であってもプリンタによって印刷することができる。
【００３５】
また、この発明の本実施の形態によれば、第２の印刷工程によって印刷が開始される前
に、前記用紙の反転セットを告知する告知工程（ステップＳ４０６）を含むので、用紙１
００の反転セットをユーザに促すことができる。
【００３６】
また、この発明の本実施の形態によれば、折線加工された用紙１００が、左カバー見返
し１０１、左表紙１０２、背表紙１０３、右表紙１０４および右カバー見返し１０５から
なる印刷物のカバーであり、第１の位置が、用紙１００の左表紙１０２と背表紙１０３と
の境界であるとともに、第２の位置が、用紙１００の右表紙１０４と背表紙１０３との境
界であることを特徴とする。この発明によれば、一般のプリンタを用いて、印刷物のカバ
ーの印刷をおこなうことができる。
【００３７】
また、この発明の本実施の形態によれば、第１の位置と第２の位置とが同一位置である
ことを特徴とする。この発明によれば、印刷物のカバーに隙間なく印刷することができる
。これらの折線加工がされた用紙としては、厚めの用紙でできているブックカバーなどの
印刷物のカバーに適している。
【００３８】
また、本実施の形態にあっては、左カバー見返し１０１側から右カバー見返し１０５側
へ印刷する例について説明したが、それとは逆に、右カバー見返し１０５側から左カバー
見返し１０１側へ印刷するようにしてもよい。その場合は、印刷を開始する位置および印
刷を停止する位置はそれに伴って反対となる。
【００３９】
また、本願発明の印刷方法および印刷プログラムは、プリンタで印刷した写真画像など
を編集・製本してオリジナルのアルバムなどを作成する製本キッドにおいて、その製本さ
れたアルバムを包むために当該製本キッドに同包されるブックカバーの印刷にも適してい
る。
【００４０】
なお、本実施の形態における印刷方法は、あらかじめ用意されたコンピュータ読み取り
可能なプログラムであってもよく、またそのプログラムをサーバーを含むパーソナルコン
ピュータやワークステーションなどのコンピュータで実行することによって実現される。
このプログラムは、ＨＤ、ＦＤ、ＣＤ−ＲＯＭ、ＭＯ、ＤＶＤなどのコンピュータで読み
取り可能な記録媒体に記録され、コンピュータによって記録媒体から読み出されることに
よって実行される。また、このプログラムは、インターネットなどのネットワークを介し
て配布することが可能な伝送媒体であってもよい。
【図面の簡単な説明】
【００４１】
【図１】実施の形態にかかる折線加工された用紙の内容を示す説明図。
【図２】実施の形態にかかる折線加工された用紙の内容を示す説明図。
【図３】実施の形態の印刷方法を実現するハードウエア構成の一例を示す説明図。
【図４】実施の形態の印刷方法の処理の手順を示すフローチャート。
【図５】用紙に対する印刷の一例を示す説明図。
【図６】反転セット指示の表示の一例を示す説明図。
【図７】用紙に対する印刷の別の一例を示す説明図。
【図８】用紙に対する印刷の別の一例を示す説明図。
【符号の説明】
【００４２】
１００  折線加工された用紙、１０１  左カバー見返し、１０５  右カバー見返し、３
００  情報処理装置、３５０  プリンタ、６００  メッセージダイアログ
【図１】
2006224490.tif 000003
【図２】
2006224490.tif 000004
【図３】
2006224490.tif 000005
【図４】
2006224490.tif 000006
【図５】
2006224490.tif 000007
【図６】
2006224490.tif 000008
【図７】
2006224490.tif 000009
【図８】
2006224490.tif 000010